(57)【特許請求の範囲】
【請求項１】
壁掛け式の空気調和機で、前面に吸込グリルと意匠パネル、その内側に熱交換器、パネルと吸込グリルの間に空清フィルタを設置し、それら内部部品を固定する筐体からなる室内機において、
前面と前面上部から背面方向に前記熱交換器の形状に沿って傾斜する傾斜面とから形成される大型空清フィルタと、
この大型空清フィルタの前記傾斜面上部の両側面に設けられ、回転方向に自由度を持たせたフィルタ側係合部と、
前記パネルの上部に設けられ、前記フィルタ側係合部と係合し前記大型空清フィルタを保持するパネル側係合部と、
を備えたことを特徴とする空気調和機の空清フィルタ脱着構造。
【請求項２】
前記フィルタ側係合部として前記熱交換器側に向けたフィルタ側略フ字状突起を設け、前記パネル側係合部として前記フィルタ側略フ字状突起に相対するパネル側略フ字状突起を設けたことを特徴とする請求項１記載の空気調和機の空清フィルタ脱着構造。
【請求項３】
前記フィルタ側係合部として切り欠き部を設けることにより弾性を持たせた大型空清フィルタ両側面略Ｃ字状突起を設け、前記パネル側係合部として前記大型空清フィルタ両側面略Ｃ字状突起に嵌合するパネル側円柱形状突起を設けたことを特徴とする請求項１記載の空気調和機の空清フィルタ脱着構造。
【請求項４】
前記フィルタ側係合部として大型空清フィルタの挿入方向に平行なスリットを有する大型空清フィルタ両側面円柱形状突起を設け、前記パネル側係合部としてパネル側略Ｃ字状突起を設けたことを特徴とする請求項１記載の空気調和機の空清フィルタ脱着構造。
【請求項５】
前記大型空清フィルタ両側面略Ｃ字状突起の前記大型空清フィルタ挿入方向の前部にガイド部を設け、前記大型空清フィルタを前記パネル側円柱形状突起を軸として、手前側に回転させた場合に干渉するリブを前記パネル側円柱形状突起に設けたことを特徴とする請求項３記載の空気調和機の空清フィルタ脱着構造。
【発明の詳細な説明】
【０００１】
【発明の属する技術分野】
この発明は、空気調和機の空清フィルタ脱着構造の操作性改善と脱着構造の簡略化に関するものである。
【０００２】
【従来の技術】
図７、図８は、従来の空気調和機の空清フィルタの脱着構造を示す。図において、１は空清フィルタ、２はパネル、３は熱交換器、４は空清フィルタ左右凸部、５は空清フィルタ上部凸部、６はパネル左右凹部、７はパネル上部凹部、８は空清フィルタの挿入方向を示す。従来の空清フィルタは小型のため、図８のように空清フィルタ１が熱交換器３の上部に位置しており、挿入方向８と支点が同一直線上にある。
【０００３】
従来の空清フィルタの取り付け方法としては、挿入方向８に示すように、空清フィルタ１をパネル２に挿入し装着する。その際、パネル左右凹部６と、パネル上部凹部７は、広がる方向へ変形するが、挿入後は弾力により元の位置に戻り、空清フィルタ左右凸部４、空清フィルタ上部凸部５に引っかかるようにして、保持する。
【０００４】
【発明が解決しようとする課題】
従来の空気調和機の空清フィルタ取付構造は以上のように構成されており、空清フィルタが大型になった場合、挿入方向と支点が同一直線上になくなるため、操作が非常に難しくなる。
また、挿入の際、空清フィルタ左右凸部４、空清フィルタ上部凸部５がパネル左右凹部６、パネル上部凹部７まで届く前に、パネル保持部の弾性で保持する場合、ユニット運転中に空清フィルタ１がずれて落ちてしまうという可能性があった。
【０００５】
この発明は、かかる問題点を解消するためになされたもので、大型の空清フィルタを簡単に、かつ確実に固定でき、使用中に大型空清フィルタが外れるなどの不良が発生しない空気調和機の空清フィルタ脱着構造を得ることを目的とする。
【０００６】
【課題を解決するための手段】
この発明に係る空気調和機の空清フィルタ脱着構造は、壁掛け式の空気調和機で、前面に吸込グリルと意匠パネル、その内側に熱交換器、パネルと吸込グリルの間に空清フィルタを設置し、それら内部部品を固定する筐体からなる室内機において、前面と前面上部から背面方向に熱交換器の形状に沿って傾斜する傾斜面とから形成される大型空清フィルタと、この大型空清フィルタの傾斜面上部の両側面に設けられ、回転方向に自由度を持たせたフィルタ側係合部と、パネルの上部に設けられ、フィルタ側係合部と係合し大型空清フィルタを保持するパネル側係合部とを備えたものである。
【０００７】
また、フィルタ側係合部として熱交換器側に向けたフィルタ側略フ字状突起を設け、パネル側係合部としてフィルタ側略フ字状突起に相対するパネル側略フ字状突起を設けたものである。
【０００８】
また、フィルタ側係合部として切り欠き部を設けることにより弾性を持たせた大型空清フィルタ両側面略Ｃ字状突起を設け、パネル側係合部として大型空清フィルタ両側面略Ｃ字状突起に嵌合するパネル側円柱形状突起を設けたものである。
【０００９】
また、フィルタ側係合部として大型空清フィルタの挿入方向に平行なスリットを有する大型空清フィルタ両側面円柱形状突起を設け、パネル側係合部としてパネル側略Ｃ字状突起を設けたものである。
【００１０】
また、大型空清フィルタ両側面略Ｃ字状突起の大型空清フィルタ挿入方向の前部にガイド部を設け、大型空清フィルタをパネル側円柱形状突起を軸として、手前側に回転させた場合に干渉するリブをパネル側円柱形状突起に設けたものである。
【００１１】
【発明の実施の形態】
実施の形態１．
以下、この発明の実施の形態１を図面を参照して説明する。
図１は実施の形態１による空清フィルタ脱着構造を示す斜視図、図５、６は空清フィルタの取り付け方法を示す断面図である。
図において、９は壁掛け式の空気調和機で前面に吸込グリルと意匠パネル、その内側に熱交換器、またパネルと吸込グリルの間に前面と前面上部から背面方向に熱交換器の形状に沿って傾斜する傾斜面とから形成される大型空清フィルタ、１０は大型空清フィルタ９両側面に設けた熱交換器側に向けたフィルタ側係合部である大型空清フィルタ両側面略フ字状突起、１１はパネル側に設けた前記大型空清フィルタ両側面略フ字状突起１０に相対するパネル側係合部であるパネル側略フ字状突起、２０は挿入方向、２１はパネル、２２は大型空清フィルタ９が閉じている位置、２３は大型空清フィルタ９が開いている位置、２４は回転方向を示す。ここで大型空清フィルタ両側面略フ字状突起１０が相対するパネル側略フ字状突起１１に引っかかり、大型空清フィルタ９が保持される。
【００１２】
この大型空清フィルタ９の取り付け方法としては、図５のように大型空清フィルタ９は挿入方向２０の方向に挿入し、大型空清フィルタ９両側面の大型空清フィルタ両側面略フ字状突起１０が、パネル側略フ字状突起１１に引っかかる。
その後これらの突起を軸にして、図６のように大型空清フィルタが開いている位置２３から、大型空清フィルタが閉じている位置２２に回転方向２４にてパネル２１側へ大型空清フィルタ９を回転させて、定位置に納め、保持する。
【００１３】
上述の実施の形態によれば、挿入方向と支点が同一直線上にない場合に、大型空清フィルタ９を簡単に、かつ確実に固定でき、使用中に大型空清フィルタ９が外れるなどの不良が発生する恐れが少ない。
【００１４】
実施の形態２．
以下、この発明の実施の形態２を図面を参照して説明する。
図２は実施の形態２による空清フィルタ脱着構造を示す斜視図、図５、６は空清フィルタの取り付け方法を示す断面図である。
図において、９は大型空清フィルタ、１２は大型空清フィルタ９両側面に設けたフィルタ側係合部である大型空清フィルタ両側面略Ｃ字状突起、１３はパネル側に設けた大型空清フィルタ両側面略Ｃ字状突起１２に嵌合するパネル側係合部であるパネル側円柱形状突起、１４は切り欠き部、２０は挿入方向、２１はパネル、２２は大型空清フィルタ９が閉じている位置、２３は大型空清フィルタ９が開いている位置、２４は回転方向を示す。ここで大型空清フィルタ両側面略Ｃ字状突起１２がパネル側円柱形状突起１３をつかみ、大型空清フィルタ９が保持される。
【００１５】
この大型空清フィルタ９の取り付け方法としては、図５のように大型空清フィルタ９は挿入方向２０の方向に挿入する。その際、大型空清フィルタ両側面略Ｃ字状突起１２は、形状が開く方向に変形するが、挿入後は、大型空清フィルタ両側面略Ｃ字状突起１２に切り欠き部１４を設けることにより得られた弾性により元の形状に戻ることで、パネル側円柱形状突起１３をつかむ。その後これらの突起を軸にして、図６のように大型空清フィルタが開いている位置２３から、大型空清フィルタが閉じている位置２２に回転方向２４にてパネル２１側へ大型空清フィルタ９を回転させて、定位置に納め、保持する。
【００１６】
上述の実施の形態２によれば、大型空清フィルタ両側面略Ｃ字状突起１２とパネル側円柱形状突起１３とによる方式に変更することにより、挿入したときの保持が確実となり、定位置に納める際に回転がスムーズとなる。
【００１７】
実施の形態３．
以下、この発明の実施の形態３を図面を参照して説明する。
図３は実施の形態３による空清フィルタ脱着構造を示す斜視図、図５、６は空清フィルタの取り付け方法を示す断面図である。
図において、９は大型空清フィルタ、１６はパネル側に設けたパネル側係合部であるパネル側略Ｃ字状突起、１５は大型空清フィルタ９両側面に設けたパネル側略Ｃ字状突起１６に嵌合するフィルタ側係合部である大型空清フィルタ両側面円柱形状突起、１７はスリット、２０は挿入方向、２１はパネル、２２は大型空清フィルタが閉じている位置、２３は大型空清フィルタが開いている位置、２４は回転方向を示す。ここでパネル側略Ｃ字状突起１６が大型空清フィルタ両側面円柱形状突起１５をつかみ、大型空清フィルタ９が保持される。
【００１８】
この大型空清フィルタ９の取り付け方法としては、図５のように大型空清フィルタ９は挿入方向２０の方向に挿入する。その際、大型空清フィルタ両側面円柱形状突起１５に設けたスリット１７の間隔が狭まるが、挿入後、スリット１７の間隔が元に戻ることにより、パネル側略Ｃ字状突起１６が、大型空清フィルタ両側面円柱形状突起１５をつかむ。その後、これらの突起を軸にして、図６のように大型空清フィルタが開いている位置２３から大型空清フィルタが閉じている位置２３に回転方向２４にてパネル２１側へ大型空清フィルタ９を回転させて、定位置に納め、保持する。
【００１９】
上述の実施の形態３によれば、大型空清フィルタ両側面円柱形状突起１５とパネル側略Ｃ字状突起１６とによる方式に変更することにより、挿入したときの保持が確実となり、定位置に納める際に回転がスムーズとなる。
【００２０】
実施の形態４．
以下、この発明の実施の形態４を図面を参照して説明する。
図４は実施の形態４による空清フィルタ脱着構造を示す斜視図、図５、６は空清フィルタの取り付け方法を示す断面図である。
図において、９は大型空清フィルタ、１２は大型空清フィルタ両側面に設けたフィルタ側係合部である大型空清フィルタ両側面略Ｃ字状突起、１３はパネル側に設けた大型空清フィルタ両側面略Ｃ字状突起１２に嵌合するパネル側係合部であるパネル側円柱形状突起、１４は切り欠き部、１８はガイド、１９はリブ、２０は挿入方向、２１はパネル、２２は大型空清フィルタが閉じている位置、２３は大型空清フィルタが開いている位置、２４は回転方向を示す。ここで大型空清フィルタ両側面略Ｃ字状突起１２がパネル側円柱形状突起１３をつかみ、大型空清フィルタ９が保持される。
【００２１】
この大型空清フィルタ９の取り付け方法としては、図５のように大型空清フィルタ９は挿入方向２０の方向に挿入する。その際、大型空清フィルタ両側面略Ｃ字状突起１２は、形状が開く方向に変形するが、挿入後は、大型空清フィルタ両側面略Ｃ字状突起１２に設けた切り欠き部１４によって得られた弾性により元の形状に戻ることで、パネル側円柱形状突起１３をつかむ。その後、これらの突起を軸として、図６のように大型空清フィルタが開いている位置２３から大型空清フィルタが閉じている位置２２に回転方向２４にてパネル２１側へ大型空清フィルタ９を回転させて、定位置に納め、保持する。
【００２２】
大型空清フィルタを取り外す際は、図６において、突起を軸として大型空清フィルタが閉じている位置２２から大型空清フィルタが開いている位置２３に回転させると、大型空清フィルタ両側面略Ｃ字状突起１２上部のガイド１８が、パネル側円柱形状突起１３に設けたリブ１９に干渉することにより、大型空清フィルタ両側面略Ｃ字状突起１２にパネル側円柱形状突起１３が出入りする開口部が拡大する。これにより大型空清フィルタ９の簡単かつ破損しにくい取り外しが可能となる。
【００２３】
大型空清フィルタ９の取り外し方向が両側で同一方向となり、かつ回転動作によって容易に大型空清フィルタ９を取り外すことが出来るので、リサイクル処理時に大型空清フィルタ９（大型空清フィルタ枠）の回収が容易になる。この結果、大型空清フィルタ９の再利用が可能となる。
【００２４】
【発明の効果】
この発明は、以上説明したように機能しているため、大型空清フィルタの挿入方向と支点が同一直線上にない場合の大型空清フィルタの固定が容易となる。
【００２５】
また円柱形状突起と略Ｃ字状突起とによる方式に変更することにより、挿入したときの保持が確実となり、定位置に納める際に回転がスムーズとなる。
【００２６】
また大型空清フィルタ両側面略Ｃ字状突起の上部にガイドを設け、パネル側円柱形状突起にリブを設け、大型空清フィルタを上に回しながら持ち上げることにより、大型空清フィルタ両側面略Ｃ字状突起上部のガイド部と、パネル側円柱形状突起に設けたリブとが干渉することで、大型空清フィルタ両側面略Ｃ字状突起にパネル側円柱形状突起が出入りする開口部が拡大し、大型空清フィルタをより簡単に、かつ破損しにくい取り外しが可能となる。
【図面の簡単な説明】
【図１】  この発明の実施の形態１による空清フィルタ脱着構造を示す斜視図である。
【図２】  実施の形態２による空清フィルタ脱着構造を示す斜視図である。
【図３】  実施の形態３による空清フィルタ脱着構造を示す斜視図である。
【図４】  実施の形態４による空清フィルタ脱着構造を示す斜視図である。
【図５】  この発明の空清フィルタの取り付け方法を示す断面図である。
【図６】  この発明の空清フィルタの取り付け方法を示す断面図である。
【図７】  従来の空気調和機の空清フィルタの脱着構造を示す正面図である。
【図８】  従来の空清フィルタの取り付け方法を示す断面図である。
【符号の説明】
９  大型空清フィルタ、１０  大型空清フィルタ両側面略フ字状突起、１１  パネル側略フ字状突起、１２  大型空清フィルタ両側面略Ｃ字状突起、１３  パネル側円柱形状突起、１４  切り欠き部、１５  大型空清フィルタ両側面円柱形状突起、１６  パネル側略Ｃ字状突起、１７  スリット、１８  ガイド、１９  リブ、２０  挿入方向、２１  パネル、２２  大型空清フィルタが閉じている位置、２３  大型空清フィルタが開いている位置、２４  回転方向。
【図１】
0003764284.tif 000002
【図２】
0003764284.tif 000003
【図３】
0003764284.tif 000004
【図４】
0003764284.tif 000005
【図５】
0003764284.tif 000006
【図６】
0003764284.tif 000007
【図７】
0003764284.tif 000008
【図８】
0003764284.tif 000009